(57)【要約】【課題】  ユーザが視たい動画のチャプタを選択するにあたり、操作を煩雑にすることなく、所望のチャプタを選択する入力操作を行えるようにすることである。【解決手段】  動画再生装置５０を、動画データにチャプタを割り当てるチャプタ割り当て手段と、動画データを記憶する動画データ記憶手段１３５と、動画データに基づく動画を表示する表示手段１０２と、表示手段１０２に表示する動画のチャプタを特定するチャプタ特定情報を入力するためのチャプタ入力操作手段１５３と、チャプタ入力操作手段により入力されたチャプタを検出し入力されたチャプタに対応する動画データを動画データ記憶手段１３５より読み出し、読み出した動画データに基づく動画を表示するように表示手段１０２を制御する制御手段１５０を備える構成とする。【選択図】  図３
2006121370.tif 000002
【特許請求の範囲】
【請求項１】
動画データを記憶する動画データ記憶手段と、
この動画データ記憶手段に記憶された動画データを読み出す読み出し手段と、
この読み出し手段によって読み出された動画データに複数の再生開始位置情報を割り当てる割り当て手段と、
この割り当て手段によって割り当てられた複数の再生開始位置情報の各々に対応した再生指示手段と、
この再生指示手段によって指示された再生開始位置情報より、前記動画データに基づく動画を再生表示する再生表示手段と
を備える動画再生装置。
【請求項２】
前記読み出された動画データを所定の基準に従って分割する分割手段を更に備え、
前記割り当て手段は、この分割手段によって分割された各々の動画データの先頭に前記開始位置情報を割り当てることを特徴とする請求項１に記載の動画再生装置。
【請求項３】
前記複数の再生開始位置情報は、各々が所定のナンバーによって表されるものであり、前記再生指示手段は前記ナンバーに対応する数字キーであることを特徴とする、請求項１または２に記載の動画再生装置。
【請求項４】
前記動画データを取得するための動画取得手段をさらに備え、
前記動画データ記憶手段は、前記動画取得手段により取得した動画データを記憶することを特徴とする請求項１乃至３のいずれかに記載の動画再生装置。
【請求項５】
コンピュータに、
動画データを記憶手段に記憶する動画データ記憶ステップと、
前記動画データ記憶ステップで記憶された動画データにチャプタを割り当てるチャプタ割り当てステップと、
表示手段に表示するチャプタを特定するチャプタ特定情報を入力するためのチャプタ入力操作手段に対するユーザの単一の入力操作に応答し、入力されたチャプタ特定情報を特定するチャプタ特定ステップと、
前記チャプタ特定ステップで特定されたチャプタが割り当てられた動画データを前記記憶手段より読み出し、該読み出した動画データに基づく動画を表示するように表示手段を制御する制御ステップと、を実行させることを特徴とする、動画再生プログラム。
【発明の詳細な説明】
【技術分野】
【０００１】
本発明は、動画再生装置、及び動画再生プログラムに関する。
【背景技術】
【０００２】
ＤＶＤ（ディジタルバーサタイルディスク）プレーヤや、カメラ付き携帯電話機では、記憶した動画を再生して画面に表示できるようにされている。また、これらの機器には、動画データを一定時間で分割し、分割された各領域毎にチャプタ（再生開始位置情報）を割り当てて記憶するようにされたものもある。
【０００３】
そして、ユーザが動画を視る場合、画面に表示された複数のチャプタより視たいものを選択すると、選択されたチャプタの動画が画面に表示される（例えば、特許文献１参照。）。
【特許文献１】特開２００２−１５２６６６（第７頁―第８頁、第６図）
【発明の開示】
【発明が解決しようとする課題】
【０００４】
ところで、従来のＤＶＤプレーヤや、カメラ付き携帯電話機等の動画再生装置にあっては、動画を再生しようとすると、再生する動画を選択するためのチャプタが列挙されたリストをまず画面に表示し、この表示されたリストより再生を希望する動画のチャプタを選択しなければならなかった。そして、このリストに基づき選択したチャプタの動画が画面上に再生された。
【０００５】
このように、希望する動画のチャプタを視ようとすると、一旦前記リストを表示させ、このリストより希望するものを選択する操作を行わなければならなかった。そして、例えば、一つのチャプタを視ている最中に他のチャプタを視たい場合、チャプタを選択するためのリストの表示に戻り、視たいチャプタを選択する操作を行わなければならなかった。従って、再生するチャプタを選択するための操作が煩雑であった。そして、視たい動画のチャプタを速やかに画面に表示させることができなかった。とりわけ、ある程度の時間で次々に異なるチャプタに切り替えたい場合、操作が煩雑であった。
【０００６】
また、携帯電話機などの携帯端末機にあっては、画面が小さいため、前記チャプタ選択のためのリストを表示すると、このリストを見づらく、リストより選択する操作を行い難いという問題があった。
【０００７】
そこで、本発明は、ユーザが視たい動画のチャプタを選択して再生するにあたり、操作を煩雑にすることなく、所望のチャプタを選択することができる動画再生装置を提供することを目的とする。
【課題を解決するための手段】
【０００８】
上記課題を解決するため、本発明の第１の観点に係る動画再生装置は、動画データを記憶する動画データ記憶手段と、
この動画データ記憶手段に記憶された動画データを読み出す読み出し手段と、
この読み出し手段によって読み出された動画データを再生させるに際し、前記動画データに複数の再生開始位置情報を割り当てる割り当て手段と、
この割り当て手段によって割り当てられた複数の再生開始位置情報の各々に対応した再生指示手段と、
この再生指示手段によって指示された再生開始位置情報より、前記動画データ基づく動画を再生表示する再生表示手段とを備えることを特徴としている。
【０００９】
したがって、前記割り当て手段によって複数のチャプタ（再生開始位置情報）が割り当てられると、この複数チャプタの各々に対応する再生を指示するための再生指示手段を操作することにより、所望のチャプタから動画を再生表示させることができる。
【００１０】
また、読み出された動画データを所定の基準に従って分割する分割手段を更に備え、前記割り当て手段は、この分割手段によって分割された各々の動画データの先頭に前記開始位置情報を割り当てることを特徴としている。
【００１１】
この発明によると、上記に加え、ユーザにとって、検索しやすい間隔でチャプタ分割を行うことができる。
【００１２】
また、前記複数のチャプタ（再生開始位置情報）は、各々が所定のナンバーによって表されるものであり、前記再生指示手段は前記ナンバーに対応する数字キーであるように構成することができる。
【００１３】
この発明によると、各チャプタを区別するためのチャプタの表現をナンバーにより行うので、チャプタの表現が簡潔にできる。また、チャプタの入力を数字キーによって行うことができる。
【００１４】
また、前記動画再生装置について、前記動画を取得するための動画取得手段をさらに設け、
この動画取得手段により取得された動画データを前記動画データ記憶手段に記憶することができる。
【００１５】
この発明によると、例えば、カメラのような動画取得手段を用いて動画データを取得することができる。そして、撮像手段により得た動画データに前記割り当て手段により複数のチャプタが割り当てられる。
【００１６】
また、本発明の第２の観点に係る動画再生プログラムは、コンピュータ読み取り可能にされており、
コンピュータに、
動画データを記憶手段に記憶する動画データ記憶ステップと、
前記動画データ記憶ステップで記憶された動画データにチャプタを割り当てるチャプタ割り当てステップと、
表示手段に表示するチャプタを特定するチャプタ特定情報を入力するためのチャプタ入力操作手段に対するユーザの単一の入力操作に応答し、入力されたチャプタ特定情報を特定するチャプタ特定ステップと、
前記チャプタ特定ステップで特定されたチャプタが割り当てられた動画データを前記記憶手段より読み出し、該読み出した動画データに基づく動画を表示するように表示手段を制御する制御ステップと、を実行させることを特徴としている。
【００１７】
本発明によると、チャプタ特定ステップが前記チャプタ入力操作手段によるチャプタ特定情報を入力する単一の入力操作を検出し、検出したチャプタの動画を表示手段に表示する。
【００１８】
このように、本発明によると、チャプタ特定ステップがユーザによるチャプタ特定情報を入力する操作を一回検出することにより、前記チャプタ入力操作手段により入力されたチャプタの動画を表示手段に表示する。
【発明の効果】
【００１９】
本発明によると、複数のチャプタ（再生開始位置情報）が割り当てられると、この複数チャプタの各々に対応した再生指示を検出することにより、所望のチャプタから動画を再生表示させることができるので、ユーザが視たい動画のチャプタを選択して再生するにあたり、操作を煩雑にすることなく、所望のチャプタを選択することができる。
【発明を実施するための最良の形態】
【００２０】
本発明の実施の形態について、図１乃至図１０を参酌しつつ説明する。以下に説明する本発明の一実施形態であるカメラ付き携帯電話機５０（以下、携帯電話機５０という）は、本発明の一実施形態である動画再生装置の一例として実施される。
【００２１】
図１、図２は本発明の一実施形態である携帯電話機５０の外観を示す図である。図１は、携帯電話機５０を開いた状態で正面を眺めた状態を表す正面図である。図２（ａ）は、携帯電話機５０の蓋部５３を表す平面図であり、図１に示される携帯電話機５０の正面に対する背面側より、携帯電話機５０を閉じた状態における蓋部５３を眺めた状態を示している。図２（ｂ）は、携帯電話機５０の本体部５１を表す平面図であり、図１に示される携帯電話機５０の正面に対する背面側より、携帯電話機５０を閉じた状態における本体部５１を眺めた状態を示している。
【００２２】
図１に示されるように、携帯電話機５０は、本体部５１とヒンジ部５２と蓋部５３を備えている。本体部５１と蓋部５３とはヒンジ部５２によって連結されている。ヒンジ部５２の内側には、本体部５１側に固定された図１に図示されない固定軸が設けられている。この固定軸の回りに、本体部５１に対して蓋部５３を回転させ、蓋部５３と本体部５１とを開閉することができる。
【００２３】
蓋部５３の正面には、スピーカ１０１及びメイン表示部１０２が設けられている。スピーカ１０１は、音声を出力する。スピーカ１０１は、携帯電話機５０が送信局より送信され受信した通話音の音声信号に基づく音声を出力する。
【００２４】
メイン表示部１０２は、モニタ画面を備えて構成されている。メイン表示部１０２のモニタ画面は、携帯電話機に組み込むことが可能なディスプレイデバイスにより構成される。このモニタ画面を、１６：９ワイド液晶により構成することができる。
【００２５】
メイン表示部１０２はモニタ画面を備え、携帯電話機５０を動作させる条件情報を入力するための各種のメニュー表示や、モニタ画面に表示する動画のチャプタを選択するためのリスト表示を表示し、このリスト表示に基づき選択された動画像が表示される。
【００２６】
また、メイン表示部１０２は、漢字、数字や各種の記号等を表示できるようになっている。これにより、携帯電話機５０より送信するメールをメイン表示部１０２に表示しつつ編集することができ、また受信したメールをメイン表示部１０２に表示して確認することもできる。
【００２７】
本体部５１には、報知用スピーカ１２０、カメラキー１０４、メールキー１０５、十字キー１０６、決定キー１０７、アドレス帳キー１０８、ネット接続キー１０９、クリアキー１１０、オンフックキー１１１、１１２、テンキー部１１３、マイク１１４、報知用ＬＥＤ１１７、撮像レンズ１１８が設けられている。
【００２８】
報知用スピーカ１２０は、図１、図２（ｂ）に示されるように、本体部５１の正面側から背面側にわたって設けられている。報知用スピーカ１２０は、携帯電話機５０への他の電話機による呼び出しを報知する音声や、メールの送信があったことを報知する音声等を出力する。
【００２９】
図１に示すように、カメラキー１０４は、本体部５１の正面に設けられている。カメラキー１０４はカメラによる撮影を行うための操作キーであり、ユーザがカメラキー１０４を操作することにより、携帯電話機５０に設けられるカメラにより撮影を行う撮影モードが起動される。
【００３０】
また、カメラキー１０４の操作により、メイン表示部１０２に画像を表示する動作モードを、カメラによる撮影の対象である撮影対象画像をモニタ画面に出力する撮影モードと、過去に取得して記憶している画像を再生して出力する再生モードとで切り替えることができる。
【００３１】
メールキー１０５は、メールに関する機能を実行するためのメールモードに移行するキーである。メールキー１０５を操作することにより、送信されたメールの取り込みや、取り込んだメールをメイン表示部１０２に表示させることができる。また、メールキー１０５の操作を介して、送信したいメールを編集するためのメール編集モードに設定することもできる。また、メールキー１０５の操作を介して、メールを送信することもできる。
【００３２】
十字キー１０６は、メイン表示部１０２に表示されたカーソルを移動させ、又はカメラによる撮影時のフォーカスを移動させるための操作キーである。文字等の入力を可能とする入力モードとされると、入力操作を行うためのカーソルがメイン表示部１０２に表示されるが、このカーソルを十字キー１０６の操作により移動させることができる。
【００３３】
また、カメラによる撮影を行う場合に、十字キー１０６の操作により、いわゆるズーム撮影を行うことができる。即ち、十字キー１０６を操作して撮像レンズ１１８を移動させ、撮影対象に対する撮影倍率を変更することができる。
【００３４】
この撮影倍率の変更は、ユーザがメイン表示部１０２により撮影対象を確認しつつ、十字キー１１６を操作して撮像レンズ１１８を移動させ、所望の倍率となるように撮像レンズ１１８を位置決めすることによって行う。
【００３５】
決定キー１０７は、選択した内容を決定する入力を行うための操作キーである。
例えば、決定キー１０７を操作することにより、メイン表示部１０２に表示させた文字中よりカーソルの操作による等して選択した文字の入力を決定する等を行うことができる。
【００３６】
また、カメラによる撮影を行う場合、メイン表示部１０２に撮影対象が表示されている状態で、決定キー１０７を操作することにより、表示された撮影対象を撮影像として取り込むことができる。この決定キー１０７は、撮影モードが起動されている状態において、カメラのシャッターキーとして機能する。
【００３７】
また、動画の撮影を行う場合は、決定キー１０７を押し続けることにより、この間の一連の映像が動画として取り込まれる。この取り込まれた動画のデータは、決定キー１０７の操作に対応する一連の部分が一動画ファイルとして記憶される。
【００３８】
アドレス帳キー１０８は、メイン表示部１０２にアドレス帳を表示するための操作キーである。このアドレス帳キー１０８を操作することにより、記録されている他のユーザのアドレスの一覧をメイン表示部１０２に出力することができる。このアドレスは、メールの送信時に送信先の指定に用いることができる。
【００３９】
ネット接続キー１０９は、携帯電話機５０をインターネットに接続し、メールや他の電子データをインターネットを介して他の端末機器との間で送受信するための操作キーである。
【００４０】
クリアキー１１０は、キャンセル指示用の操作キーであり、他の操作キーを操作して入力した操作内容を取り消すための操作キーである。クリアキー１１０以外の操作キーにより入力した操作内容について、決定キー１０７によって決定する前であれば、クリアキー１１０の操作によって取り消すことができる。
【００４１】
第一のオンフックキー１１１は、携帯電話機５０を他の電話機に対して発信を行い得る状態に設定するための操作キーである。このオンフックキー１１１の操作により発信可能な状態とした後に、発信先（通話する相手方）の電話番号を入力することができる。
【００４２】
第二のオンフックキー１１２は、通話を終了するための通話オフキーと電源をオン／オフ（ＯＮ／ＯＦＦ）するための電源キーを兼ねている。通話オフキーとして機能させる場合、通話中に第二のオンフックキー１１２を押し下げる操作を行うと、携帯電話機５０は相手方の電話機との通信動作を終了する。
【００４３】
一方、電源キーとして機能させる場合、第二のオンフックキーを長押しする操作を行うと、電源オフされた状態から電源オンし、又は電源オフされた状態から電源オンすることができる。
【００４４】
テンキー部１１３には、いわゆるテンキーが設けられている。テンキー部１１３には、０から９までの一桁の数字を表す１０の数字キー、四則演算を表す＋、−、×、÷の記号、♯、＊の記号等を表すキーが配置されている。１０つの数字キーを操作することにより、通話を希望する相手方の電話番号を入力することができる。
【００４５】
マイク１１４は、携帯電話機５０により他の電話機と通話を行う場合に、携帯電話機５０のユーザによる発生音を受音する。マイク１１４は、ユーザの発生音を受音すると、この発生音を音声信号に変換して出力する。
【００４６】
報知用ＬＥＤ１１７は、携帯電話機５０に対して他の電話機による呼び出しがあった場合や、メールの送信があった場合に、発光動作によって報知する。
【００４７】
撮像レンズ１１８は、撮影対象の画像を、携帯電話機５０内に設けられる撮像モジュール１３９の撮像センサに結像させるレンズであり、カメラの一部として設けられている。
【００４８】
次に、携帯電話機５０の信号処理にかかるブロックについて、図３により説明する。図３は、携帯電話機５０のブロック図である。図３に示されるように、携帯電話機５０は、送受信処理部１５１、音声入出力部１５２、システムＲＯＭ１３２、第一のＲＡＭ１３３、ＣＰＵ１５０、アドレス・データバス処理部１４８、入力部１５３、画像処理制御部１３４、第二のＲＡＭ１３５、プログラムＲＯＭ１３６、表示モジュール系ドライバ１３７、メイン表示部１０２、報知用ＬＥＤ１１７、ステップモータ１３８、ディジタルシグナルプロセッサ１４０、音源ＩＣ１４２、アンプ１４３、報知用スピーカ１２０、外部記録媒体用ドライバ１４４、及び外部インターフェイスコントローラ１４６を備えている。
【００４９】
送受信処理部１５１は、アンテナ１０３と無線部１３０と通信制御部１３１を備えている。通信制御部１３１は、通信データ処理部１３１ａとオーディオインターフェイス１３１ｂを備えている。
【００５０】
アンテナ１０３は、携帯電話機５０に送信された無線信号を受信し、又は携帯電話機５０より無線信号を送信する。アンテナ１０３が受信した信号は無線部１３０に入力され、又は無線部１３０より出力された信号はアンテナ１０３より送信される。
【００５１】
無線部１３０は、ＰＳＫ（Phase Shift Keying(位相シフト変調）)方式に基づく変復調、ＣＤＭＡ（Code Division Multiple
Access（符号分割多重））方式に基づく無線処理を行う。無線部１３０は、携帯電話機５０が受信機となる場合には、入力された信号を復調する処理を行い、復調した信号を通信制御部１３１に出力する。また、無線部１３０は、携帯電話機５０が送信機となる場合には、通信制御部１３１より入力された信号を変調する処理を行い、変調した信号をアンテナ１０３へ出力する。
【００５２】
通信制御部１３１は、携帯電話機５０における通信処理全般を制御する。通信データ処理部１３１ａは、ＣＥＬＰ系音声復号処理回路、パケットデータ生成回路を備えている。
【００５３】
通信データ処理部１３１ａは、携帯電話機５０が受信機となる場合には、無線部１３０より入力された信号を復号等する処理を行い、入力された信号が通話に伴う音声信号である場合、処理した信号をオーディオインターフェイス１３１ｂに出力する。また、通信データ処理部１３１ａは、入力された信号が通話に伴う音声信号以外の信号である場合には、処理した信号をデータバス１５５に出力する。
【００５４】
また、通信データ処理部１３１ａは、携帯電話機５０が送信機となる場合、オーディオインターフェイス１３１ｂより入力された音声信号やデータバス１５５より入力された信号よりパケットデータを生成する等の処理を行い、処理した信号を無線部１３０に出力する。
【００５５】
オーディオインターフェイス１３１ｂは、通信データ処理部１３１ａで処理される音声信号の入出力を行う。携帯電話機５０が受信機となる場合には、オーディオインターフェイス１３１ｂより出力された音声信号はスピーカ１０１に入力される。そして、スピーカ１０１は、受信した音声信号に基づく通話音を出力する。携帯電話機５０が送信機となる場合には、オーディオインターフェイス１３１ｂには、マイク１１４より出力された音声信号が入力される。
【００５６】
システムＲＯＭ（ＲＯＭは読み出し専用メモリ）１３２は、基本ＯＳや端末の認証に必要な各種データを記憶する。端末の認証に必要なデータとして、加入者のＩＤをシステムＲＯＭ１３２に記憶することができる。また、システムＲＯＭ１３２には、携帯電話機５０の動作の制御処理に必要な制御プログラムも記憶されている。
【００５７】
第一のＲＡＭ（ＲＡＭは読み書き可能メモリ）１３３は、通信処理に関連するデータを記憶する。この通信処理に関連するデータとして、アドレス帳データやメールデータ等を第一のＲＡＭ１３３に記憶することができる。
【００５８】
ＣＰＵ（中央処理ユニット）１５０は、図３に示されるブロックの各部の制御を行う。ＣＰＵ１５０は、システムＲＯＭ１３２に格納される所定の制御プログラムに従って、制御動作を行う。ＣＰＵ１５０が、図３に示される各部を制御するにあたり、データバス１５５を介して制御信号を送信する。また、図３に示される各部からＣＰＵ１５０への信号の送信は、データバス１５５を介して行われる。
【００５９】
入力部１５３には、カメラキー１０４、メールキー１０５、十字キー１０６、決定キー１０７、アドレス帳キー１０８、ネット接続キー１０９、クリアキー１１０、オンフックキー１１１、１１２、及びテンキー部１１３のテンキー、等の操作キーの各々の操作に基づく操作キー判別信号が入力される。
【００６０】
入力部１５３に入力される操作キー判別信号は各々の操作キーに対応した信号である。そして、入力部１５３は、操作キー判別信号に基づいて、操作されたキーを検出するための入力操作検出信号（操作検出トリガー）をデータバス１５５に出力する。この入力操作検出信号に基づき、ＣＰＵ１５０は操作された操作キーや操作内容を検出する。
【００６１】
なお、同一の操作キーが操作される場合であっても、動作モードが異なる場合には入力内容が異なる場合があるが、一つの操作キーに割り当てられた動作モードの違いによる入力内容の違いは、動作モードと入力操作検出信号とにより検出される。
【００６２】
画像処理制御部１３４は、ＭＰＥＧ(Moving Picture Expert Group)／ＪＰＥＧ（Joint Photographic Coding Expert
Group）規格に基づくエンコード及びデコード処理全般を行う。画像処理制御部１３４は、例えば、カメラにより撮影された静止画や動画のデータを記憶する場合、撮影された画像のデータについて、圧縮すべくエンコードを行う。一方、画像処理制御部１３４は、記憶された静止画や動画のデータを再生する場合、圧縮された画像のデータを解凍すべくデコードする。
【００６３】
第二のＲＡＭ１３５は、撮影された静止画像や動画像、これらの画像より編集された画像のデータを含むマルチメディアデータが格納される。カメラにより撮影された動画や静止画の画像データ、又は外部から入力された画像データを第二のＲＡＭ１３５に記憶する場合、画像処理制御部１３４によってエンコードされ圧縮された形式で記憶される。また、静止画や動画を再生する場合、画像処理制御部１３４によりデコードされた形式の静止画又は動画のデータが第二のＲＡＭ１３５に記憶される。
【００６４】
第二のＲＡＭ１３５には、図４に示すように、ユーザメモリ領域１３５ａが展開されている。ユーザメモリ領域１３５ａに記憶される静止画や動画のファイルより、携帯電話機５０のユーザにより選択されたファイルの画像をメイン表示部１０２に表示させることができる。
【００６５】
また、携帯電話機５０が撮影モードとされ、ユーザの操作により静止画や動画が撮影されると、静止画や動画のデータはファイル形式とされてユーザメモリ領域１３５ａに記憶される。
【００６６】
ユーザは、ユーザメモリ領域１３５ａに記憶される画像ファイルの一覧を示す画像ファイルリストをメイン表示部１０２に表示させ、このリストより所望の画像ファイルを選択し、選択した画像ファイルの静止画又は動画をメイン表示部１０２に表示させることができる。
【００６７】
また、第二のＲＡＭ１３５のユーザメモリ領域１３５ａには、図５に示すように、動画チャプタ記憶領域１３５ｂが展開されている。動画チャプタ記憶領域１３５ｂには、一動画ファイルを構成する動画データにチャプタ（再生開始位置情報）が割り当てられ、各チャプタから再生を開始できるように動画ファイルが記憶されている。
【００６８】
一動画ファイルを構成する動画データにチャプタを割り当ててチャプタを生成し、動画データをチャプタ単位で管理するように動画チャプタ記憶領域１３５ｂに記憶する処理は、ＣＰＵ１５０の制御により、以下のように行われる。一動画ファイルとして記憶される動画データを各領域に分割し、分割された動画データの一つの領域に一つのチャプタを割り当てる。分割された各領域の動画データに、各々チャプタナンバーが割り当てられる。
【００６９】
そして、動画データを分割してチャプタを割り当てるにあたり、一動画ファイル全体のデータ量を検出して一チャプタに割り当てるべきデータ量を求め、このデータ量に基づいて動画ファイルを分割し、分割された各領域に各々チャプタナンバーを割り当てる。
【００７０】
また、動画データのデータ量に基づいてチャプタを割り当てるにあたっては、一動画データ全てをメイン表示部１０２で再生するために要する全再生時間を所定数で分割し、一つのチャプタあたりの再生時間に相当する動画データの領域に一つのチャプタを割り当てることができる。
【００７１】
この携帯電話機５０の例では、テンキー部１１３における０から９までの数字キーにより表される１０種類の数字をチャプタナンバーとして用いている。そして、一動画ファイルの動画データを１０の領域に分割し、各領域に０から９までのチャプタナンバーを割り当てている。０から９までの数字キーにより入力される数値が、チャプタを特定するためのチャプタ特定情報となる。
【００７２】
そして、一動画ファイルをメイン表示部１０２に表示するために要する全再生所要時間を均等に１０分割して一チャプタあたりの単位再生時間を求め、この単位再生時間に相当するデータ量の動画データが一チャプタとして記憶される。
【００７３】
図５に示す例では、動画ファイルとして「ポチの一芸．ｍｐｇ」が動画チャプタ記憶領域１３５ｂに記憶されている。このファイルを構成する動画データが１０の領域に分割されており、先頭のデータ領域より順次にチャプタ０からチャプタ９までのチャプタが割り当てられている。
【００７４】
この「ポチの一芸．ｍｐｇ」を再生してメイン表示部１０２に表示するための全再生所要時間が１００秒であるとすると、一つのチャプタの再生に要する単位再生時間は１０秒となる。
【００７５】
図５に示すように、各チャプタのデータの先頭部分には、チャプタ０の先頭に割り当てられた０秒（’００）を基準とし、１０秒を単位として順次に加算して得られる相対的な再生開始時間（’１０、’２０、・・・、’９０）が割り当てられている。即ち、再生開始時間の各々と、動画チャプタ記憶領域１３５ｂにおける前記再生開始時間の各々に対応する動画データの先頭のアドレスとが対応付けられている。
【００７６】
また、動画チャプタ記憶領域１３５ｂは、チャプタ検出テーブルも記憶している。図６は、チャプタ検出テーブルが記憶する内容を示している。チャプタ検出テーブルは、図６に示すように、数字キーとチャプタとの対応関係を記憶している。チャプタ検出テーブルは、チャプタを特定する情報として、各チャプタの再生開始時間を記憶している。
【００７７】
そして、動画の再生を行うモードとされ、再生するべき動画ファイルが選択された状態でテンキー部１１３のいずれかの数字キーを押下げる操作がされると、チャプタ検出テーブルに基づき、操作された数字キーに対応付けられるチャプタが特定される。
【００７８】
より詳しく説明すると、数字キーが操作されると、操作された数字キーの操作検出トリガー（入力操作検出信号）が入力部１５３よりデータバス１５５に出力され、操作検出トリガーに対応付けられたチャプタの再生開始時間がチャプタ検出テーブルより検出される。
【００７９】
動画チャプタ記憶領域１３５ｂに記憶された動画データのうち、前記チャプタ検出テーブルより検出されたチャプタの再生開始時間と、再生開始時間が一致する動画データの領域を検出することにより、再生を行う動画データの頭出しが行われる。
【００８０】
プログラムＲＯＭ１３６は、ダウンロードされるプログラムを含むアプリケーションプログラムを記憶する。プログラムをダウンロードする場合、ネット接続キー１０９の操作に基づきインターネットを介してアクセスしたサイトより所望のプログラムをダウンロードする操作を行うと、このプログラムをプログラムＲＯＭ１３６に取り込むことができる。
【００８１】
前記ダウンロードする操作を行うと、前記所望のプログラムは無線信号に含まれた信号形式とされて送信される。このプログラム信号を含む無線信号をアンテナ１０３が受信すると、受信した信号は無線部１３０及び通信データ処理部１３１ａにより処理される。そして、プログラムに相当するデータが通信データ処理部１３１ａよりデータバス１５５に出力され、プログラムＲＯＭ１３６に入力される。
【００８２】
表示モジュール系ドライバ１３７は、画像のデータや文字のデータに基づく画像や文字をメイン表示部１０２に表示するための制御、及び報知用ＬＥＤ１１７を発光動作させるための制御を行う。
【００８３】
表示モジュール系ドライバ１３７は、データバス１５５より画像のデータや文字のデータが入力されると、これらのデータに対応する所定の制御電圧をメイン表示部１０２を構成するディスプレイデバイスに供給する。これにより、メイン表示部１０２は、表示モジュール系ドライバ１３７に入力された画像データや文字のデータに対応する画像や文字を表示する。
【００８４】
また、表示モジュール系ドライバ１３７は、携帯電話機５０が他の電話機による呼び出しを受信し又は携帯電話機５０へのメールの送信があったことを受信すると、報知用ＬＥＤ１１７を発光させる動作電圧を報知用ＬＥＤ１１７に出力する。
【００８５】
ステップモータ１３８は、撮像レンズ１１８を撮像モジュール１３９に対して相対的に移動させる。撮像レンズ１１８が移動すると、撮影対象の画像が撮像モジュール１３９の撮像センサ上に結像する際の倍率が変化する。
【００８６】
ステップモータ１３８は、十字キー１０６が操作される操作量に応じて動作する。十字キー１０６が操作されると、この操作量を表す入力操作検出信号が入力部１５３よりデータバス１５５に入力される。
【００８７】
ＣＰＵ１５０は、この十字キー１０６に対する操作量を表す入力操作検出信号を検出すると、十字キー１０６の操作量に対応させたモータの回転量を表す動作制御信号をステップモータ１３８の制御回路に出力する。これにより、十字キー１０６の操作量に応じて、ステップモータ１３８を動作させ、撮像レンズ１１８を移動させることができる。
【００８８】
撮像モジュール１３９は、撮影対象の画像データを得る。撮像モジュール１３９は、画像データを得るための撮像センサを備えている。この撮像センサのセンサ面には、撮影対象の二次元画像が撮像レンズ１１８を通して結像する。撮像センサは、そのセンサ面に結像した二次元画像を取り込み、その画像データを得る。撮像センサが得た画像データはディジタルデータとされる。
【００８９】
この撮像モジュール１３９に組み込まれる撮像センサとして、二次元のＣＣＤ（Charge Coupled Device）センサを用いることができる。ＣＣＤセンサを用いると、撮影対象についてのディジタルデータとされた画像データを速やかに得ることができ好ましい。そして、２メガピクセルの分解能を備えるＣＣＤセンサを用いることができる。これにより、精細な画像を得ることができ好ましい。
【００９０】
撮像モジュール１３９は、画像データを得るにあたり、以下のように制御される。ユーザがカメラキー１０４を操作し、撮影モードが起動されると、撮像モジュール１３９は画像データを取り込む動作を行う状態（スタンバイ状態）となるよう制御される。この撮像モジュール１３９に対する制御信号は、ＣＰＵ１５０の制御に基づきデータバス１５５より撮像モジュール１３９に入力される。
【００９１】
そして、撮像モジュール１３９がスタンバイ状態とされると、撮像センサは画像データの取り込みが可能な状態となる。そして、撮像センサのセンサ面に撮影対象の画像が結像している状態で、決定キー１０７が操作されると、撮像センサはセンサ面上の画像の画像データを取り込む動作を行う。
【００９２】
撮影モードが起動された状態で決定キー１０７が操作されると、この操作に対応する入力操作検出信号（シャッター操作信号）が入力部１５３よりデータバス１５５に入力される。そして、前記シャッター操作信号がデータバス１５５より撮像モジュール１３９に入力されると、撮像センサはセンサ面上の画像データを取り込む動作を行う。
【００９３】
なお、動画のデータを得る場合には、撮像モジュール１３９の撮像センサより動画を構成する複数のフレームからなる画像データを所定時間にわたって得る。動画の撮影が行われる場合には、動画の撮影を表すシャッター操作信号が入力部１５３よりデータバス１５５に入力される。そして、撮像モジュール１３９は撮像センサを所定時間にわたって連続して画像データを得るように制御する。
【００９４】
撮像モジュール１３９に得られたディジタルの画像データは、撮像モジュール１３９よりＤＳＰ（ディジタルシグナルプロセッサ）１４０に入力される。ＤＳＰ１４０は、入力された画像データについて、ディジタル信号処理を行う。
【００９５】
ＤＳＰ１４０は、画像データについて、ノイズ成分を除去する等の処理を行う。また、ＤＳＰ１４０は、入力された画像データが動画を構成するべきデータである場合、順次に入力される一連の画像データを関連付けし、一つの動画ファイルとして編集する。
【００９６】
なお、動画の撮影が行われる場合には、ＤＳＰ１４０に、動画の撮影を表すシャッター操作信号がデータバス１５５より入力される。これにより、ＤＳＰ１４０は、入力された画像データが動画を構成するべきデータであることを判別する。また、ＤＳＰ１４０は、動画の撮影を表すシャッター操作信号を検出し、一つの動画ファイルとして編集されるべき動画データの始点と終点を検出する。
【００９７】
また、ＤＳＰ１４０は、撮像モジュール１３９より入力された画像データについて、ＭＰＥＧ／ＪＰＥＧ規格に基づくエンコード処理を行い、画像データを圧縮する。そして、ＤＳＰ１４０により処理された画像データは、データバス１５５を通って第二のＲＡＭ１３５に入力される。
【００９８】
音源ＩＣ１４２には、所定の楽曲の音声の音声信号が予め記録されている。音源ＩＣ１４２は、動作信号の入力により、記録している音声信号を出力する。携帯電話機５０が、他の電話機による発信や、メールの送信があったことを受信すると、ＣＰＵ１５０の制御により、データバス１５５より音源ＩＣ１４２に動作信号が入力される。
【００９９】
これにより、音源ＩＣ１４２が音声信号を出力する。音源ＩＣ１４２より出力された音声信号はアナログ増幅器（ＡＭＰ）１４３に入力され、アナログ増幅器１４３で増幅された音声信号は、報知用スピーカ１２０に入力される。これにより、報知用スピーカ１２０は、音源ＩＣ１４２に記録された音声を出力する。
【０１００】
外部記録媒体用ドライブ１４４は、ｍｉｎｉＳＤカード等の外部記録媒体１４５との間でデータの入出力を行う。外部記録媒体用ドライブ１４４を介して、外部記録媒体１４５に記憶されるデータを携帯電話機５０に入力することができ、また携帯電話機５０に記憶されるデータを外部記録媒体１４５に出力することもできる。
【０１０１】
外部インターフェイスコントローラ１４６は、外部機器との間でデータの入出力を行う。外部インターフェイスコントローラ１４６を介して、外部入力端子１４７、１５７に接続された外部機器のデータを携帯電話機５０に入力することができ、また、この外部機器に携帯電話機５０のデータを出力することもできる。
【０１０２】
この外部インターフェイスコントローラ１４６として、ＵＳＢ（Universal Serial Bus）インターフェイス、１８芯コネクタの両方のインターフェイスを切り替えてデータの送受信を制御するものを設けることもできる。この場合には、外部入力端子１４７、１５７のいずれか一方は、ＵＳＢポートとされ、他方は１８芯コネクタ対応の端子とされる。
【０１０３】
アドレス・データバス処理部１４８は、通信制御部１３１、画像処理制御部１３４のアドレス制御、データバス１５５のデータの流れの制御を行う。
【０１０４】
次に、携帯電話機５０の動作の例について、図７乃至図９により説明する。以下の説明では、メイン表示部１０２に動画を表示する動作について説明する。図７は、動画を再生してメイン表示部１０２に表示する処理を行う動画再生処理のフローチャートである。
【０１０５】
図８は、メイン表示部１０２の表示に基づき再生する動画ファイルを選択するユーザの操作と、この操作に応じてメイン表示部１０２に表示される内容を説明する図である。図９は、メイン表示部１０２に表示する動画のチャプタを選択するユーザの操作と、この操作に応じてメイン表示部１０２に表示する内容を説明する図である。
【０１０６】
ユーザの操作に応じて、第二のＲＡＭ１３５のユーザメモリ領域１３５ａに記憶される動画ファイルの一覧がメイン表示部１０２に表示される。これにより、ＣＰＵ１５０は、図７のフローチャートに従った制御処理を開始する。
【０１０７】
ユーザの操作により、図８（ａ）に示すように、メイン表示部１０２に表示されたファイルの一覧より、一つの動画ファイル「ポチの一芸．ｍｐｇ」が選択され、再生を行うための操作キーが押下られる。これに応じて、ユーザメモリ（データフォルダ）から再生の対象となる動画データが選択されたこと、再生を行う操作キーが押下げられたことを検出する（ステップＳ１１）。
【０１０８】
次に、選択された動画ファイル「ポチの一芸．ｍｐｇ」の動画データのデコードを開始する（ステップＳ１２）。次に、この「ポチの一芸．ｍｐｇ」の動画データの全てをメイン表示部１０２に表示した場合に要する全ての再生時間の検出を行う（ステップＳ１３）。
【０１０９】
次に、ステップＳ１３で検出した再生時間を１０等分に分割し、再生時間をリスト化してメイン表示部１０２に表示するとともに、「ポチの一芸．ｍｐｇ」の動画データを１０等分して１０のチャプタを生成する（ステップＳ１４）。
【０１１０】
図８（ｂ）は、再生時間をリスト化してメイン表示部１０２に表示した例である。図８（ｂ）に示されるように、チャプタ０からチャプタ９までの１０のチャプタの各々の再生時間がメイン表示部１０２に表示されている。この図８（ｂ）に示される再生時間は、チャプタ０の再生を開始する時間を０秒として表しており、チャプタ０に対する各チャプタの相対的な再生開始の時間である。
【０１１１】
次に、図８（ｃ）に示すように、「ポチの一芸．ｍｐｇ」の動画データに基づく動画像をメイン表示部１０２に表示して再生を行う（ステップＳ１５）。そして、メイン表示部１０２に動画を表示しつつ、テンキー部１３のテンキー（数字キー）による入力操作があった場合に、これを受け付ける（ステップＳ１６）。
【０１１２】
次に、テンキー（数字キー）による入力操作があったか否か、操作されたテンキーがいずれのナンバーであるか否かの判別を行う（ステップＳ１７）。テンキーによる入力操作があった場合（ステップＳ１７、ＹＥＳ）、検出したテンキー（数字キー）のナンバーとステップＳ１４で得た再生時間のリストとを照合し、テンキーのナンバーに一致するチャプタの再生時間により再生の対象とする動画データの頭出しを行う（ステップＳ１８）。
【０１１３】
そして、ステップＳ１５に移行し、ステップＳ１８において頭出しを行った動画データに基づく動画をメイン表示部１０２に表示し再生を行う（ステップＳ１５）。そして、ステップＳ１６以降の手順を実行する。
【０１１４】
また、ステップＳ１７において、テンキー（数字キー）による入力操作を検出しなかった場合（ステップＳ１７、ＮＯ）、「ポチの一芸．ｍｐｇ」の動画データを全て再生したか否か判断し（ステップＳ１９）、動画データの全てが再生されたと判断すると（ステップＳ１９、ＹＥＳ）、動画再生処理を終了する。「ポチの一芸．ｍｐｇ」の動画データの全てが再生されていないと判断すると（ステップＳ１９、ＮＯ）、ステップＳ１６に移行する。
【０１１５】
以上のステップＳ１６乃至Ｓ１９の処理に伴うユーザの操作、及びメイン表示部１０２に表示される内容について、図９も参照して説明する。図９（ａ）に示すように、ユーザが例えばテンキー（数字キー）の「２」を操作すると、チャプタ０を再生している状態から、再生を行う動画データについてチャプタ２の先頭部分に頭出しが行われ、チャプタ２より再生される。
【０１１６】
これにより、図９（ｂ）に示すように、再生するチャプタをチャプタ２にジャンプすることがメイン表示部１０２に表示される。その後、図９（ｃ）に示すように、チャプタ２が再生されメイン表示部１０２にはチャプタ２の動画が表示される。そして、ユーザによるテンキー（数字キー）の操作がなければ、そのまま「ポチの一芸．ｍｐｇ」の動画データが再生される。
【０１１７】
以上説明したように、携帯電話機５０によると、動画ファイルを再生してメイン表示部１０２に表示している最中に数字キーが操作されると、操作されたキーに対応するチャプタが割り当てられた動画データに基づく動画が再生されメイン表示部１０２に表示される。
【０１１８】
このように、携帯電話機５０によると、数字キーによりチャプタを入力する操作を行うことのみにより、入力されたチャプタにジャンプさせて動画を表示することができる。
【０１１９】
これにより、携帯電話機５０によると、従来の動画再生装置のように、再生を行うチャプタを選択するためのリストを表示し、このリストからチャプタを選択して入力する操作を行わなくてよい。これにより、ユーザが希望するチャプタを煩雑な操作を行うことなく再生することができ、希望するチャプタを速やかに表示することができる。
【０１２０】
以上の説明では、携帯電話機５０の動作を制御するための制御プログラムは、システムＲＯＭ１３２に格納されているとして説明した。しかし、コンピュータを装置の全部又は一部として動作させ、上述の制御処理を行うプログラムを、フレキシブルディスク、ＣＤ−ＲＯＭ（Compact Disk Read-Only Memory）、ＤＶＤ（Digital Versatile Disk）、ＭＯ（Magneto
Optical Disk）などのコンピュータ読み取り可能な記録媒体に格納して配布し、これをコンピュータにインストールし、上述の手段として動作させ、あるいは上述のステップを実行させてもよい。
【０１２１】
さらに、インターネット上のサーバ装置が有するディスク装置等にプログラムを格納しておき、例えば搬送波に重畳させてコンピュータにダウンロードする等してもよい。
【０１２２】
また、以上の説明では、「ポチの一芸．ｍｐｇ」の動画ファイルにチャプタを割り当てるにあたり、一動画ファイルにおける各チャプタのデータ量を均等にすべく均等に１０分割し、１０のチャプタを割り当てた。
【０１２３】
本発明を実施するにあたり、各チャプタのデータ量が均等になるように一動画ファイルを構成する動画データを分割する必要はなく、チャプタごとにデータ量が異なるように分割してもよい。
【０１２４】
また、以上の説明では、動画データにチャプタを割り当てるにあたり、チャプタナンバーを用いて各チャプタを識別するようにし、再生を行うチャプタを数字キーにより選択する例を挙げたが、一動画ファイルを構成する動画データの各領域に対するチャプタの割り当てについて、数字以外の文字や記号を用いることもできる。
【０１２５】
図１０は、例えば、本発明を、パーソナル・コンピュータにインストールされた動画再生アプリケーションソフトウエアに適用させたものである。図１０（ａ）は動画再生アプリケーションソフトウエアがインストールされたパーソナル・コンピュータ２００を示すが、パーソナル・コンピュータ２００の内部構成については、既存の構成であるので説明を省略する。キーボードはＱＷＥＲＴＹ配列となっているので、このキーボードの文字や記号をチャプタの割り当てに用いることにより、図１０（ｂ）に示すように、表示画面２０１にユーザによって理解しやすい形で再生すべき複数のチャプタ２０２、２０２、２０２．．．を表示させることができる。このようにすれば、１０個以上のチャプタ分割が可能になり、且つ、ユーザにとって理解しやすい動画再生が可能になる。
【０１２６】
以上の説明では、動画の再生が可能な携帯電話機５０の例により説明したが、携帯電話機以外の携帯式端末装置により本発明を実施することもできる。即ち、日常的に携帯可能な端末装置であり、動画の出力が可能なモニタ等の表示手段と大人の指によって操作することが可能なサイズの操作キーが設けられ、前記操作キーの操作により動画をモニタ上に再生可能にされた携帯式端末装置により、本発明を実施することができる。
【０１２７】
また、本発明を、携帯式端末装置以外の装置により実施することもできる。即ち、操作キーの操作により希望する動画を表示手段に表示させることが可能な動画再生装置により、本発明を実施することもできる。
【０１２８】
また、以上の説明では、表示手段としてのメイン表示部１０２を動画再生装置としての携帯電話機５０が一体に備える例により説明した。動画再生装置に表示手段を一体に設けると、動画を再生して表示するためのシステムが一体に纏められたものとなり、全体としてコンパクトにすることができる。
【０１２９】
一方、本発明を実施するにあたり、表示手段を動画再生装置に必ずしも一体に設ける必要はなく、表示手段を動画再生装置より物理的に分離させて設けてもよい。表示手段と動画再生装置とを物理的に分離する場合、表示手段としてのディスプレイデバイスを動画再生装置とケーブル等で接続し、動画再生装置により再生された動画が表示手段に表示されるように設ける。
【０１３０】
また、以上の説明では、撮像モジュール１３９より入力された画像データに基づいて作成された動画ファイルについて、チャプタ分割を行うようにしたが、例えば放送受信機能及び録画機能、インターネットからのダウンロード機能及び保存機能を備える動画再生装置にも、本発明は適用することができる。
【図面の簡単な説明】
【０１３１】
【図１】本発明の一実施形態である携帯電話機の正面部分の外観を示す図である。
【図２】携帯電話機を閉じた状態の外観を示す平面図である。
【図３】携帯電話機の信号処理にかかるブロック図である。
【図４】第二のＲＡＭに展開されるデータ領域を示す図である。
【図５】動画データにチャプタを割り当てて記憶した例を示す図である。
【図６】数字キーとチャプタの対応関係を記憶したチャプタ検出テーブルを示す図である。
【図７】動画を再生する処理のフローチャートである。
【図８】再生する動画ファイルの選択と、この選択に基づきメイン表示部に表示する内容を説明する図である。
【図９】再生するチャプタの選択と、この選択に基づきメイン表示部に表示する内容を説明する図である。
【図１０】本発明をパーソナル・コンピュータにインストールされた動画再生アプリケーションソフトウエアに適用させた場合の概念図であり、（ａ）はパーソナル・コンピュータの外観図、（ｂ）は、表示画面の表示例を示す図である。
【符号の説明】
【０１３２】
５０・・・携帯電話機、５１・・・本体部、５２・・・ヒンジ部、５３・・・蓋部、１０１・・・スピーカ、１０２・・・メイン表示部（再生表示手段）、１０３・・・アンテナ、１０４・・・カメラキー、１０５・・・メールキー、１０６・・・十字キー、１０７・・・決定キー、１０８・・・アドレス帳キー、１０９・・・ネット接続キー、１１０・・・クリアキー、１１１・・・第一のオンフックキー、１１２・・・第二のオンフックキー、１１３・・・テンキー部（再生指示手段）、１１４・・・マイク、１１７・・・報知用ＬＥＤ、１１８・・・撮像レンズ、１２０・・・報知用スピーカ、１３０・・・無線部、１３１・・・通信制御部、１３１ａ・・・通信データ処理部、１３１ｂ・・・オーディオインターフェイス、１３２・・・システムＲＯＭ、１３３・・・第一のＲＡＭ、１３４・・・画像処理制御部、１３５・・・第二のＲＡＭ（動画データ記憶手段、メモリ）、１３６・・・プログラムＲＯＭ、１３７・・・表示モジュール系ドライバ、１３８・・・ステップモータ、１３９・・・撮像モジュール（動画取得手段）、１４０・・・ＤＳＰ、１４１・・・増幅器、１４２・・・音源ＩＣ、１４３・・・増幅器、１４４・・・外部記録媒体用ドライブ、１４５・・・外部記録媒体、１４６・・・外部インターフェイスコントローラ、１４７・・・外部入力端子、１５０・・・ＣＰＵ（読み出し手段、割り当て手段）、１５１・・・送受信処理部、１５２・・・音声入出力部、１５３・・・入力部、１５５・・・データバス、１５７・・・外部入力端子、２００・・・パーソナル・コンピュータ、２０１・・・表示画面、２０２・・・チャプタ画面
【図１】
2006121370.tif 000003
【図２】
2006121370.tif 000004
【図３】
2006121370.tif 000005
【図４】
2006121370.tif 000006
【図５】
2006121370.tif 000007
【図６】
2006121370.tif 000008
【図７】
2006121370.tif 000009
【図８】
2006121370.tif 000010
【図９】
2006121370.tif 000011
【図１０】
2006121370.tif 000012